【手続補正書】
【提出日】平成24年2月14日(2012.2.14)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域が形成される遊技盤と、
前記遊技領域に設けられ、遊技球が通過可能な始動領域および遊技球が入球不可能な第１状態と入球可能な第２状態とに作動し得る可変入賞装置と、
前記可変入賞装置内に設けられ、該可変入賞装置に入球した遊技球が通過可能な特定領域と、
前記始動領域を遊技球が通過すると特別遊技をおこなうか否かを判定する特別遊技判定手段と、
前記特別遊技判定手段により特別遊技をおこなうと判定された場合、前記可変入賞装置を前記第２状態に作動させる第１特別遊技をおこなう第１特別遊技実行手段と、
前記第１特別遊技実行手段により前記第１特別遊技がおこなわれているときに、前記特定領域を遊技球が通過した場合、遊技者にとって有利な第２特別遊技をおこなうことが可能な第２特別遊技実行手段と、
を備え、
前記第１特別遊技実行手段は、
通常特別遊技または特殊特別遊技のいずれかをおこなうことが可能であり、
前記第２特別遊技実行手段は、
前記第１特別遊技実行手段により、前記通常特別遊技がおこなわれた場合には前記第２特別遊技をおこない、前記特殊特別遊技がおこなわれた場合には前記第２特別遊技をおこなわないことを特徴とする遊技機。
【請求項２】
前記特定領域を遊技球が通過し難い通常状態と通過し易い特別状態とに作動し得る特定領域振分手段と、
前記第１特別遊技実行手段により前記通常特別遊技または前記特殊特別遊技がおこなわれているときに、前記特定領域振分手段を作動させる特定領域振分制御手段と、
をさらに備え、
前記特定領域振分制御手段は、
前記第１特別遊技実行手段により、前記通常特別遊技がおこなわれた場合には所定の割合で前記特定領域を遊技球が通過するように前記特定領域振分手段を作動させ、前記特殊特別遊技がおこなわれた場合には前記所定の割合と異なる割合で前記特定領域を遊技球が通過するように前記特定領域振分手段を作動させることを特徴とする請求項１に記載の遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
この発明は、いわゆる、旧第二種タイプの機能を有する遊技機に関する。
【手続補正４】
【補正対象書類名】明細書
【補正対象項目名】０００６
【補正方法】変更
【補正の内容】
【０００６】
この発明は、上述した従来技術による問題点を解消するため、遊技にバリエーションを持たせ、興趣性を向上させることができる遊技機を提供することを目的とする。
【手続補正５】
【補正対象書類名】明細書
【補正対象項目名】０００７
【補正方法】変更
【補正の内容】
【０００７】
上述した課題を解決し、目的を達成するため、本発明は以下の構成を採用した。この発明にかかる遊技機は、遊技球が流下可能な遊技領域が形成される遊技盤と、前記遊技領域に設けられ、遊技球が通過可能な始動領域および遊技球が入球不可能な第１状態と入球可能な第２状態とに作動し得る可変入賞装置と、前記可変入賞装置内に設けられ、該可変入賞装置に入球した遊技球が通過可能な特定領域と、前記始動領域を遊技球が通過すると特別遊技をおこなうか否かを判定する特別遊技判定手段と、前記特別遊技判定手段により特別遊技をおこなうと判定された場合、前記可変入賞装置を前記第２状態に作動させる第１特別遊技をおこなう第１特別遊技実行手段と、前記第１特別遊技実行手段により前記第１特別遊技がおこなわれているときに、前記特定領域を遊技球が通過した場合、遊技者にとって有利な第２特別遊技をおこなうことが可能な第２特別遊技実行手段と、を備え、前記第１特別遊技実行手段は、通常特別遊技または特殊特別遊技のいずれかをおこなうことが可能であり、前記第２特別遊技実行手段は、前記第１特別遊技実行手段により、前記通常特別遊技がおこなわれた場合には前記第２特別遊技をおこない、前記特殊特別遊技がおこなわれた場合には前記第２特別遊技をおこなわないことを特徴とする。
【手続補正６】
【補正対象書類名】明細書
【補正対象項目名】０００８
【補正方法】変更
【補正の内容】
【０００８】
上記発明において、前記特定領域を遊技球が通過し難い通常状態と通過し易い特別状態とに作動し得る特定領域振分手段と、前記第１特別遊技実行手段により前記通常特別遊技または前記特殊特別遊技がおこなわれているときに、前記特定領域振分手段を作動させる特定領域振分制御手段と、をさらに備え、前記特定領域振分制御手段は、前記第１特別遊技実行手段により、前記通常特別遊技がおこなわれた場合には所定の割合で前記特定領域を遊技球が通過するように前記特定領域振分手段を作動させ、前記特殊特別遊技がおこなわれた場合には前記所定の割合と異なる割合で前記特定領域を遊技球が通過するように前記特定領域振分手段を作動させることを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１２
【補正方法】変更
【補正の内容】
【００１２】
以下に添付図面を参照して、この発明にかかる遊技機の好適な実施の形態を詳細に説明する。
【手続補正９】
【補正対象書類名】明細書
【補正対象項目名】００１７
【補正方法】変更
【補正の内容】
【００１７】
まず、通常遊技状態において、遊技者は、通常打ちとしての左打ちをして第１始動口１１１を狙う（１）。遊技球が第１始動口１１１に入賞すると、大当たり抽選をおこない、第１特図表示部１２１が変動する（２）。第１特図表示部１２１に停止した大当たり抽選の抽選結果を示す第１特別図柄（以下「特図１」という）がハネ１３１の開放を示す小当たりである場合、所定のインターバル時間が経過した後に、小当たりの内容に応じて、開閉入賞装置１３０のハネ１３１を１回または２回、それぞれ、たとえば０．８秒開放する（３）。
【手続補正１０】
【補正対象書類名】明細書
【補正対象項目名】００２６
【補正方法】変更
【補正の内容】
【００２６】
ここで、通常遊技状態において、遊技球がゲート１４０を通過した場合について補足しておく。通常遊技状態において、遊技球がゲート１４０を通過すると、普通図柄表示部１２３が２９秒変動する。また、通常遊技状態において、停止した普通図柄が当たり図柄「○」の場合、電動チューリップ１４１が０．２秒間の開放を１回おこなう。
【手続補正１１】
【補正対象書類名】明細書
【補正対象項目名】００５１
【補正方法】変更
【補正の内容】
【００５１】
（２．演出制御部）
演出制御部３０２は、演出統括部３０２ａと、画像・音声制御部３０２ｂと、ランプ制御部３０２ｃとによって構成され、ぱちんこ遊技機１００の演出内容を制御する機能を有する。演出統括部３０２ａは、主制御部３０１から受信した各種コマンドに基づいて演出制御部３０２全体を統括する機能を有している。画像・音声制御部３０２ｂは、演出統括部３０２ａからの指示内容に基づいて画像および音声の制御をおこなう機能を有している。また、ランプ制御部３０２ｃは、枠１０１および遊技盤１０２などに設けられたランプの点灯を制御する機能を有している。